(57)【要約】【課題】アレンジしたドライフラワーの背丈応じて深さを簡単に調整でき、しかも取り扱い、保管、輸送中に額を落下させた場合でも、アレンジしたドライフラワーが破損することがない衝撃吸収性に優れたドライフラワー装飾額を提供する。【解決手段】上面に透視窓１１を設けた額１の中に、ドライフラワー２を透視窓１１に面させて、ドライフラワー２をアレンジした基板３を挿入し、これをその上下に介在位置された保持片４．４．．、５．５．．．によつて額の１の中に挟着保持させた。【選択図】    図２
2004338247.tif 000002
【特許請求の範囲】
【請求項１】
上面に透視窓１１を設けた額１の中に、ドライフラワー２を透視窓１１に面させて、ドライフラワー２をアレンジした基板３が挿入され、この基板３がその上下に介在位置された保持片４．４．．、５．５．．．によつて額１の中に挟着保持されていることを特徴とするドライフラワー装飾額。
【請求項２】
基板３の上下に位置する保持４．４．．．５．５．．．のいずれか一方が弾性体であることを特徴とする請求項１記載のドライフラワー装飾額。
【請求項３】
基板３の下に位置する保持片５．５．．．が弾性発泡体であることを特徴とする請求項２記載のドライフラワー装飾額。
【発明の詳細な説明】
【０００１】
【発明の属する技術分野】
この発明はドライフラワー装飾額にするものである。
【０００２】
【従来の技術】
従来、上面に開口部を有する容器の底部にドライフラワーをアレンジし、これを上面にガラスを位置させ額の中に、額の底部開口部より挿入して、これを押え板を介して額の中に着脱自在に収納したドライフラワー装飾額が提案されている。
【０００３】
しかしながら、ドライフラワーの背丈によって数々の深さの容器と額を準備する必要があり、しかもドライフラワーが容器の底部にアレンジ固定されているため、取り扱い、保管、輸送中に底部に付加された衝撃によりアレンジしたドライフラワーが破損する欠点があつた。
【０００４】
【特許文献１】
特開２００１−９７８０１号
【０００５】
【発明が解決しようとする課題】
この発明は、基板にアレンジしたドライフラワーの背丈に応じて額の深さを簡単に調整でき、しかも取り扱い、保管、輸送中に額を落下させた場合でも、基板にアレンジしたドライフラワーが破損することがない衝撃吸収性に優れたドライフラワー装飾額を提供しょうとするものである。
【０００６】
【課題を解決するための手段】
この発明は、上面に透視窓１１を設けた額１の中に、ドライフラワー２を透視窓１１に面させて、ドライフラワー２をアレンジした基板３が挿入され、この基板３がその上下に介在位置された保持片４．４．．．、５．５．．．によつて額１の中に挟着保持されていることを特徴とするドライフラワー装飾額を請求項の発明とし、請求項１の発明において上下に位置する保持片４．４．．．５．５．．．のいずれか一方が弾性体であることを特徴とするドライフラワー装飾額を請求項２の発明とし、請求項２の発明において基板３の下に介在位置された保持片５．５．．．が弾性発泡体であることを特徴とするドライフラワー装飾額を請求項３の発明とするものである。
【０００７】
【発明の実施の形態】
この発明において、額１は、木、紙、合成樹脂、ガラス、金属等の適宜材料で形成せれている。額１を木、紙等の透湿材料で構成する場合は、吸湿によるドライフラワー２の変色防止のためアルミ箔、塩化ビニルシート、塩化ビニリデンフイルム、エバールフイルム、ポリエステルフイルム等の非透湿性フイルムを貼り合わせておくことが望ましい。そして額１の上部は開口されており、この上部開口部１０は透明なガラス、合成樹脂等の透明板１０１で密封され、基板３にアレンジしたドライフラワー２を透視できる透視窓１１を形成している。必要によっては、透明板１０１の下面に適宜形状の打ち抜き窓１０２１を有する押え板１０２を介在させておき、この打ち抜き窓１０２１と透明板１０１とによって透視窓１１を形成するようにしておいてもよい。
【０００８】
この発明において額１は、予め底部が底板１２により密封されており、額の上部開口部１０より、ドライフラワー２をアレンジした基板３が額１の中に挿入保持され、上部開口部１０を透明板１０１で密封する上部挿入方式の額であっても、予め額の上部開口部１０が透明板１０１で密封されており、底部が底板１２により開放自在とされ、この底部開口部１２１よりドライフラワー２をアレンジした基板３を、額１の中に挿入保持させて、底板１２を閉鎖して底部開口部１２１を密封する底部挿入方式の額であってもよい。
【０００９】
この発明において額１の上部開口部１０から底板１２までの深さは、調整設定する額１の最大深さより、深く形成されている。
【００１０】
基板３は、通気孔を設けた板、厚紙、繊維ボード、合成樹脂等の適宜材料で形成されている。そして基板３には、シリカゲル法、フリーズドライ法、加熱乾燥法、脱水法等適宜方法により立体乾燥されたドライフラワー２が基板３又は必要により基板に固定されたポリスチレンフォーム等のアレンジ台３２を介して接着等の適宜手段によりアレンジ固定されている。
【００１１】
基板３に通気孔３１．３１．．．を設け、その下面にはシリカゲル、ゼオライト、硫酸マグネシュウム等の乾燥剤６を位置させ、ドライフラワー２をアレンジした基板３を、額１の中に挿入保持させて額１を密封しておけば、ドライフラワー２の吸湿による変色や収縮を未然に防止できる。
【００１２】
このドライフラワー２をアレンジした基板３は、上部挿入方式の額１の場合、額の上部開口部１０より、また底部挿入方式の額１の場合、額の底部開口部１２１より額１の中に挿入されている。
【００１３】
保持片４．４．．．、５．５．．．は木、紙、合成樹脂、ゴム、金属等の適宜材料で柱状、枠状等適宜形状に構成され、基板３の上と下の適宜個所で基板３を挟むように、額内に位置されている。そして保持片（上部保持片）４．４．．．、保持片（下部保持片）５．５．．．のいずれか一方が、アレンジしたドライフラワー２の背丈に応じて額の上部開口部１０から基板３までの深さ、即ち額の深さを決定するものであり、他方が決定された額の深さを固定するものである。この発明においてアレンジしたドライフラワー２が複数の場合、背丈が最も大きいものに応じて額の深さが決定されることは勿論である。
【００１４】
この発明において、額１が上部挿入方式の額の場合、下部保持片５．５．．．は、基板３を額の底部で支持し、額の深さ、即ち額の上部開口部から基板３までの深さを決定するものであり、必要により色々な背丈のものを準備しておき、額１の中に、ドライフラワー２をアレンジした基板３を挿入する際、アレンジしたドライフラワー２の背丈に応じて、その背丈を適宜選定できるようにしておけば便利である。また下部保持片５．５．．．をバネ、ウレタン発砲体、ゴム発泡体のような反発弾性体で構成しておけば、基板を３挿入して、基板３にアレンジされたドライフラワー２の背丈を上方から確認しながら、基板３を介してこれを圧縮するだけで、下部保持片５．５．．．の背丈を自在に調整して、ドライフラワー２の背丈に応じて額の深さを設定でき極めて簡便であり、しかもその衝撃吸収性よつて基板３にアレンジされたドライフラワー２の破損を一層効果的に防止でき好都合である。このようにして額１の深さが決定され、基板３の上面に接して、額の上部内壁面１３１に固定される上部保持片４．４．．．によって額１の深さが固定される。
【００１５】
この発明において額１が底部挿入方式の額の場合、上部保持片４．４．．．は基板３を額の上部で支持し、額の深さ、即ち額の上部開口部１０から基板３までの深さを決定するものであり、必要により色々な背丈のものを準備しておき、額１の中にドライフラワー２をアレンジした基板３挿入する際、アレンジしたドライフラワー２の背丈に応じてその背丈を適宜選定できるようにしておけば便利である。また上部保持片４．４．．．をバネ、ウレタン発砲体、ゴム発泡体のような反発弾性体で構成しておけば、基板３挿入時に、基板３を介してこれを圧縮するだけで、上部保持片４．４．．．上部保持片４．４．．．背丈を調整して、ドライフラワー２の背丈に応じて額の深さを設定でき便利であり、しかもその衝撃吸収性よつて、基板３にアレンジされたドライフラワー２の破損を防止でき好都合である。
このようにして額１の深さが決定され、基板３の下面に接して、額の下部内壁面１３２に固定される下部保持片５．５．．．によって額１の深さが固定される。
【００１６】
【実施例１】
実施例は、上部挿入方式の額であって、その額１は、塩化ビニルフイルムを貼りあわせた９ｍｍ厚の板により、縦４０ｃｍ、横２６ｃｍで上部が開口され、上部開口部１０から底板１２までの深さが１０ｃｍの升状に形成されおり、その突き合わせ面はシーリング剤によって気密にシールされている。そしてその底部の対向する下部内壁面１３２．１３２に沿って、寝具用軟質ウレタンフォームで形成された縦、横各５ｃｍ、長さ１５ｃｍの角柱状の下部保持片５．５が、横たえられ位置され、その底部が両面粘着テープで額の底板１２に接着固定され、そして対向する下部保持片５．５の間に２ｍｍの乾燥剤６入りの袋が両面接着テープで底板１２接着固定されている。
【００１７】
そして、多数の通気孔３１．３１．．．を設けた厚み２ｍｍで、縦３９．５ｃｍ、横２５．５ｃｍのベニヤ板製基板３の上面に接着された縦５ｃｍ、横５ｃｍ、厚み１ｃｍのポリスチレン発泡体製の通気性アレンジ台３２に、背丈６ｃｍのドライフラワー２が、その幹部を突き刺し接着してアレンジ固定されている。
【００１８】
この予のドライフラワー２をアレンジした基板３が、額の上部開口部１０より額１中に挿入され、ウレタンフォーム製の底部保持片５．５を２．８ｃｍに圧縮した状態で、額の上部開口部１０から基板３までの深さを７ｃｍに調整して、底部保持片５．５の上方位置で、基板３の上面に接して厚み１ｃｍ、幅７ｃｍ、長さ２５．５ｃｍ発泡ポリスチレン製の板状の上部保片．５．５が、額の上部内壁面１３１．１３１に接着固定されている。
【００１９】
そして額の上部開口部１０は打ち抜き窓１０２１を有する厚紙製の押え板１０２を介してガラス製の透明板１０１によって気密に密封されて、透視窓１１を形成している。さらに額の上部開部１０の外周部には、額縁１４が着脱自在に周設されている。
【００２０】
【発明の効果】
この発明は、以上のように構成されているので、上部挿入方式の額１の場合、ドライフラワー２の背丈に対応して選定された背丈の下部保持片５．５．．．を額の底部に位置させ、この額１の中に、上部開口部１０からドライフラワー２をアレンジした基板２を、ドライフラワー２を開口部１０に面させて挿入して、上部開口部１０から基板３までの深さ、即ち額の深さをドライフラワー２の背丈に応じて調整し、基板３の上面の額上部内壁面１３１に沿って上部保持片４．４．．．を固定して、基板３を額１中に保持させることができる。
【００２１】
また底部挿入方式の額１の場合、ドライフラワー２の背丈に対応して選定された背丈の上部保持片４．４．．．を額の上部に位置させ、この額１の中に、下部開口部１２１からドライフラワー２をアレンジした基板３を、ドライフラワー２を透視窓１１に面させて挿入して、上部開口部１０から基板３までの深さ、即ち額の深さをドライフラワー２の背丈に応じて調整し、基板３の下面の額下部内壁面１３２に沿って下部保持片５．５．．．を固定して、基板３を額１中に保持させることができる。
【００２２】
したがつて、保持片４．４．．．、または保持片５．５．．．を適宜選定することによりドライフラワー２の背丈に応じ額の深さを簡単に設定できるので、深さの異なる多数の額を準備する必要がない。またドライフラワー２をアレンジした基板３は、額１の中で上下の保持片４．４．．．、５．５．．．によって、宙吊り状に挟着保持されているので、上下の保持片４．４．．．、５．５．．．により衝撃が吸収され、基板３にアレンジされたドライフラワー２は取り扱い、保管、輸送中の衝撃によって破損することがない。
【図面の簡単な説明】
【図１】ドライフラワー装飾額の見取り図である。
【図２】図１のＡ−Ａ線における断面図である。
【符号の説明】
１．  額  、１０．．．上部開口部、１０１．．．透明板、１０２．．．押え板、
１０２１．．．打ち抜き窓、１１．．．透視窓、１２．．．底板  、
１２１．．．底部開口部、１３．．．内壁面、１３１．．．上部内壁面、１３２．．．下部内壁面、１４．．．額縁、２．ドライフラワー、３．基板、３１．．．通気孔、３２．．．アレンジ台、４．保持片（上部保持片）、
５．保持片（下部保持片）、６．乾燥剤
【図１】
2004338247.tif 000003
【図２】
2004338247.tif 000004